(57)【要約】【課題】  大がかりな設備の必要もなく、缶の凹みを有効に防止し得る、包装箱用の緩衝材を提供する【解決手段】  包装箱内で、缶胴５を横置きした平詰め状態で、缶蓋口縁部分６と缶底部分７及びその近傍の缶胴５に相応する場所にダンボールの平板を緩衝材１２として配置し、缶蓋口縁部分６と缶底部分７及びその近傍に外力を受けた場合に、この緩衝材１２が変形することによって、缶の缶蓋口縁部分６と缶底部分７及びその近傍の変形を防止し、中央部を含む缶胴５の大部分は空隙１８を設ける【選択図】図１
2011255922.tif 000002
【特許請求の範囲】
【請求項１】
包装箱内で、缶胴を横置きした平詰め状態で、缶蓋口縁部分と缶底部分及びその近傍の缶胴に相応する場所にダンボールの平板を緩衝材として配置し、缶蓋口縁部分と缶底部分及びその近傍に外力を受けた場合に、この緩衝材が変形することによって、缶の缶蓋口縁部分と缶底部分及びその近傍の変形を防止し、中央部を含む缶胴の大部分は空隙を設けることで損傷を無くしたことを特徴とする包装箱内に設置される缶の包装用緩衝材。
【請求項２】
包装箱内で、缶胴を横置きした平詰め状態で、缶蓋口縁部分と缶底部分及びその近傍の缶胴に相応する場所にダンボールの平板を緩衝材として配置し、かつ、平板の緩衝材の上面と、包装箱蓋の缶に接する面との距離が、収納される缶の口径よりも小さく設定することにより、缶の缶蓋口縁部分と缶底部分及びその近傍の缶胴を平板状の緩衝材に押しつけて、圧痕を生じさせることを特徴とする請求項１に記載の缶の包装用緩衝材。
【請求項３】
包装箱内で、缶胴を横置きした平詰め状態で、缶蓋口縁部と缶底部及びその近傍の缶胴に相応する場所に断面がチャンネル状に成形された平板を緩衝材として配置し、かつ、前記緩衝材のチャンネル状の上面と、包装箱蓋の缶に接する面との距離が、収納される缶の口径よりも小さく設定することにより、缶の缶蓋口縁部分と缶底部及びその近傍の缶胴を、チャンネル状の上面の緩衝材に押しつけて、圧痕を生じさせることを特徴とする請求項１に記載の缶の包装用緩衝材。
【請求項４】
片面ダンボールの平板を緩衝材とし、該緩衝材のライナー無しの面を缶側に配置していることを特徴とする請求項1に記載の缶の包装用緩衝材。
【発明の詳細な説明】
【技術分野】
【０００１】
本発明は、包装箱内に収納された飲料缶等の缶容器に対して有効な緩衝機能を有する緩衝材に関する。
【背景技術】
【０００２】
飲料缶例えばジュース缶やコーヒー缶は缶中心線方向の中央部寄りの缶胴部分と前後両端部分の缶蓋口縁部分と缶底部分とを有していて、一般には包装箱に平詰めされて、流通過程に置かれているため、荷扱い作業時に生じる衝撃や、包装箱の落下時の衝撃で飲料缶は凹みを生じ、缶の外観をそこなうことがある。
【０００３】
これらの包装箱が上記の衝撃を受けた場合、包装箱に収納されている缶には、缶胴中心線方向に垂直な方向の強い衝撃力が作用すると考えられ、この力に対する剛性の高い側の缶蓋口縁部分は凹み難いが、缶蓋口縁部分ほど剛性の高くない側である缶底部近傍の缶胴部分や、剛性の低い缶胴の中央部寄り部分が凹んでしまうことが多い。
【０００４】
このような缶の凹み対策として、特許文献１に示されたものがある。この特許文献１では、図１１に示すように一枚の紙板を緩衝材として、その上板３１に、収納する容器の胴部の曲面に沿うように、断面凸レンズ状の切り欠き孔３２を明け、その切り欠き部分で折り曲げて包装箱に載置し、缶の両端に近い胴部を保持し、缶胴部分３３の中央部３４を浮かせることで缶の損傷を防止している。
【先行技術文献】
【特許文献】
【０００５】
【特許文献１】特開平０９−２４０７３８号公報
【発明の概要】
【発明が解決しようとする課題】
【０００６】
ところで、特許文献１に開示された緩衝材は、缶胴の両端の缶底部分や缶蓋口縁部分よりも中央部寄りで缶胴部分を保持しており、剛性が高い缶胴端部の、缶蓋口縁部分で保持しているのではないために、缶胴部分が極薄の最近の缶では、缶胴部分のうちの緩衝材に接した部分が変形する怖れがある。また紙板は剛性が高いため、衝撃を吸収する緩衝機能が低く缶胴部分の変形を防ぐのに十分な機能を持たない。設備面では、緩衝材である紙板の缶を安定して保持するための切り欠き孔を打ち抜く専用プレス機が必要なこと、また缶径が変わると、その都度、缶径に合致した切り欠き孔用金型が必要に成ってくるなど、設備のコストが大きくなる問題が生ずる。
【０００７】
本発明は、かかる従来技術の問題点を鑑みてなされたもので、大がかりな設備の必要もなく、缶の凹みを有効に防止し得る、包装箱用の緩衝材及び箱詰め包装方法を提供するものである。
【課題を解決するための手段】
【０００８】
前記課題を解決するため、本発明の請求項１に記載の緩衝材は、缶を横置きした状態で、缶蓋口縁部と缶底を含み、その近傍の缶胴部分に、ダンボールの平板を緩衝材として配置したものである。
【０００９】
本発明の請求項２に記載の緩衝材は、缶胴を横置きした状態で缶蓋口縁と缶底部を支える場所にダンボールの平板を緩衝材として配置した、請求項１に記載の緩衝材に加え、更に平板の緩衝材の上面と、包装箱蓋の缶に接する面との距離が収容される缶の口径より小さく設定して、収納される缶で平板の緩衝材を変形させて缶を埋没させることで、缶の移動を抑制し、缶同士の衝突を和らげる方法を採用したものである。
【００１０】
また本発明の請求項３に記載の緩衝材は、板厚方向に変形し難い薄いダンボール（Ｅフルート、厚さ１．２ｍｍ）や中芯の無い一枚紙を用いる場合に好適であって、前記緩衝材の断面をチャンネル状に成形して、缶胴を横置きした状態で缶蓋口縁部と缶底部及びその近傍の缶胴に相応する場所に緩衝材として配置し、かつ、前記緩衝材のチャンネル状の上面と、包装箱蓋の缶に接する面との距離が、収納される缶の口径よりも小さく設定したものである。
【００１１】
また本発明の請求項４に記載の緩衝材は、片面ダンボールの平板を緩衝材とした場合、ライナー無しの面を缶側に配置したものである。
【発明の効果】
【００１２】
請求項１に記載された発明では、ダンボールの平板の緩衝材は、最も衝撃力を大きく受ける部分である缶の缶蓋口縁部分と缶底部対応する位置に配置されており、外界からの衝撃を、この緩衝材が変形することで、吸収し、缶の缶蓋口縁部分と缶底部分とその近傍の缶胴部分の変形は防止できる。缶胴の中央部を含む大部分の胴は空隙を設けているため損傷から免れている。
【００１３】
請求項２に記載された発明では、ダンボールの平板の緩衝材の上面と包装箱蓋の下面の距離を、収納される缶の缶蓋口縁径若しくは缶底部径よりも小さく設定しておき、缶を箱包装体に入れて施蓋すると、平板状の緩衝材である板紙が缶蓋口縁部と缶底部に押されて圧痕が生ずる。この圧痕は、缶の不必要な移動や振動を防ぐ効果がある。緩衝材の低い剛性部分に、剛性の高い缶蓋口縁部分と缶底部分を適度な力で押圧することにより、緩衝材にこの圧痕を作成することを特徴としている。緩衝材が永久変形した圧痕部分も、さらに変形出来る厚みの余裕が残っていれば、缶の変形防止の効果は保持される。
【００１４】
請求項３に記載された発明では、包装箱内の緩衝材が薄くて硬い場合に特に有効な手段であり、前記緩衝材をチャンネル状に折り曲げて、折曲した形状に起因する変形容易性と緩衝機能が強化され、これに加えて、包装箱内に配置された緩衝材の上面に載置された缶の上面は包装箱の箱身からわずかに凸出していることを利用して、蓋体を施蓋するに先立って、缶の飛び出している部分を他の紙板や或いは蓋体自体で押下げる。押下げられた缶の下部は、緩衝材のチャンネル状の上面を押して少し埋没し緩衝材に塑性変形による圧痕を形成して、缶は安定して固定される。
この圧痕は缶の下部の周囲を囲んで缶のころがりを防ぎ、缶の位置決めを確実にし、上記同様缶の変形防止効果がある。
【００１５】
請求項４に記載された発明では、緩衝材として、片面ダンボールのライナー無しの面を缶に対する受面として利用し、ライナー無し面の低剛性を利用して緩衝作用を一層発揮させることができる。
【図面の簡単な説明】
【００１６】
【図１】箱包装体を示す縦断面図。
【図２】箱包装体を示す平面説明図。（但し箱蓋は示されていない）
【図３】缶を示す斜視説明図。
【図４】緩衝材を示す斜視説明図。
【図５】他の緩衝材を示す斜視説明図。
【図６】両面ダンボールを示す縦断面図。
【図７】片面ダンボールを示す縦断面図。
【図８】他の緩衝材を示す斜視説明図。
【図９】箱身に缶を収納した状態を示す縦断面説明図。
【図１０】箱身に収納された缶を押下げる状態を示す。
【図１１】従来の缶の包装材を示す斜視説明図。
【発明を実施するための形態】
【００１７】
以下この発明を実施するための形態について図面を参照しながら説明する。
【第１の実施形態の緩衝材の説明】
【００１８】
図１から図４において１は箱包装体であって、被包装体である缶２を収容して包装するものである。箱包装体１は箱身３と箱蓋４とからなっている。缶２は円筒状の缶胴５の中心線９方向の前端に缶蓋口縁部分６を有し、また後端に缶底部分７を有する。缶蓋口縁部分６には缶蓋８が巻締められて備えられており、缶底部分７には缶底１１が接続されている。
箱包装体１の身体３の底部分には緩衝材１２が中敷され、その上に缶２が載置している。この緩衝材１２がこの発明の対象である。  
【００１９】
緩衝材１２は缶２を下から受けて支える部材であってダンボールで構成されている。緩衝材１２はダンボールの平板を短冊状若しくは帯状に切って間隔を置いて平行に箱身３の底部に貼着して構成される。緩衝材１２の幅Ｗ１、Ｗ２は缶の缶蓋口縁部分６または缶底部分７及びその近傍部分を受け得る幅、または中心線９方向に隣り合う２つの缶２ａ、２ｂの対向する缶蓋口縁部分６及び缶底部分７及びその近傍部分を受け得る幅である。緩衝材１２の間隔ｄは、缶の高さｈ０と上記Ｗ２が分かれば、自ずと決まり、
ｄ＝ｈ０−Ｗ２
である。緩衝材１２の上面は平板の平面のままでもよいが、図５に示すように、缶胴５の下部を受け入れる深さＨ０の溝１６またはそのような溝を実質的に形成する堰堤上の凸起を設けてもよい。
【００２０】
厚みのある平板状の緩衝材１２が間隔を置いて配置される結果、缶２の中心線９方向の前後両端間の中央寄りの部分の下方は空隙１８が存在して、この部分は箱身３とも接触しない浮いた状態になっている。緩衝材１２に使用するダンボールは中芯２１の両面にライナー２２を設けた両面ダンボール（図６参照）または中芯２１の片面にライナー２２を設けた片面ダンボール（図７参照）を用いることができる。
【００２１】
このように構成された緩衝材１２の作用は次の通りである。
缶２は前後端部の缶蓋口縁部分６と缶底部分７が緩衝材１２に受けられて包装箱体１内に収納されている。缶２が包装箱体１ごと落下した場合に、缶２には衝撃が作用するが、缶２は缶蓋口縁部分６と缶底部分７で緩衝材１２に受けられていて、缶蓋口縁部分６と缶蓋８が巻締めによって固着して強度が大きく、また缶底部分７は缶胴５に較べて厚肉の缶底１１に連結しているので、缶蓋口縁部分６の次に強度が大きい。このことから缶蓋口縁部分６、缶底部分７には缶胴５に較べて落下衝撃による変形に対して耐変形特性がある。これに加えて緩衝材１２を構成するダンボールの塑性変形によって衝撃力は緩衝され、缶胴５の変形は回避される。また、缶蓋口縁部分６、缶底部分７は形状として外側に突出している部分であるが、この部分はダンボールの緩衝材１２に部分的につつまれる状態となるので小さな傷もつきにくくなる。一方缶２の中心線９方向の前後両端間の中央寄りの胴部分２や５は、強度は最も弱い部分であるが、この部分は空隙１８があって緩衝材１２と接触していないので、緩衝材１２から外力を受けることがなく変形しない。結局、緩衝材１２で受けられた缶２は良好に変形を回避することができる。
【第２の実施形態の緩衝材の説明】
【００２２】
図４に示すように、第１の実施形態の緩衝材１２は短冊状に切り出したダンボールの平板からなる緩衝材１２を箱身３の底部に固定して構成しているが、図８に示すように第２の実施例の緩衝材１２ｂはダンボールの平板がチャンネル状に折り曲げられて上方に突出した凸の部分が緩衝機能を構成して缶２の荷重を受ける部分となし、下方に凹入した凹の部分が箱身３の底部に固着されるものである。
【第３の実施形態の缶の箱包装方法の説明】
【００２３】
次にこの発明の緩衝材１２を使用した箱包装方法について説明する。
箱身３と箱蓋４を有する箱包装体１を準備し、その箱身３の底部に、その幅がＷ１、Ｗ２で間隔を置いて平行に固着・敷設する。
【００２４】
次に図９に示すように緩衝材１２の上に缶２を横置きに供給して載置し、缶２の缶蓋口縁部分６と缶底部分７をそれぞれの緩衝材１２に受けさせる。このとき箱身３の深さＨ１と緩衝材１２の高さＨ２と、缶２の缶胴５の直径Ｄとの関係は次のようになっている。
０．９５Ｄ≦（Ｈ１−Ｈ２）≦０．９９Ｄ
即ち、緩衝材１２の上面と、箱蓋４を閉じて箱包装体１が完成した状態での箱蓋４の缶胴５に接する面との距離が缶胴５の径よりも小さく設定されており、缶２を緩衝材１２上に横置きに載置しただけの状態では、缶胴５の上部分２４は箱身３の上端２５よりもわずかに上に飛び出している。その飛び出し高さをＨ０とすると        
０．０１Ｄ  ≦  Ｈ０  ≦０．０５Ｄ    
となる。
【００２５】
この状態から、図１０に示すように、箱蓋４を施蓋して、その内面で缶胴５を上から押す。これにより缶胴５は押し下げられて緩衝材１２に圧痕を生じ、その圧痕内に缶胴５の缶蓋口縁部分、缶底部分７の下端部２８が没入する。  圧痕の深さＨ０′は  上述のＨ０とほぼ等しくなる。これより缶２の位置決めが確実にされる。この状態で包装箱１０の外側から紐をかけて、箱包装体１が完成する
（実施例と実験例）
【００２６】
実施例として箱包装体を製作し、実験を行なった。
【実施例】
【００２７】
１．使用した蓋は全て同一で、材質はアルミ製で、板厚は０．２５ｍｍ、
蓋外径は５８．９〜５９．３ｍｍ、
巻締外径は５２．２〜５２．６ｍｍである。
２．使用した缶は、材質はスチール製、板厚は２種類あり
(1)従来缶（Ｊ２００ＴＦ２−Ｓ）……元板厚は０．２４ｍｍ、
フランジ部板厚０．２１〜０．２５ｍｍ
胴部板厚０．１８〜０．２０ｍｍ、
缶胴径は  ５２．２〜５２．６ｍｍ。
(2)ゲージダウン缶（Ｊ２００ＴＦ２−Ｇ）……元板厚は０．２３ｍｍ、
フランジ部板厚０．１９〜０．２３ｍｍ、
胴部板厚０．１７〜０．１９ｍｍ、
缶胴径は５２．１〜５２．５ｍｍ。
３．包装箱は、箱身３、箱蓋４とも、ダンボール製で、段の種類は、Ｂフルート（段高さ２．８ｍｍ）を使用。寸法（内法）は横４２５ｍｍ、縦３０７ｍｍ、高さ５３．５ｍｍ、
４．緩衝材は、上記箱と同じダンボール製のＢフルートを使用し、下記に３形態でテストし、缶の変形回避の効果を調査した。
１）実施例  
横４２５ｍｍ、縦２０ｍｍの短冊状のものを２枚用意し、包装箱の底の上下端に、
横４２５ｍｍ、縦５０ｍｍの短冊状のものを２枚用意し、箱の底の上端から約１００ｍｍ、下端から約１００ｍｍに１枚ずつ、合計で４枚のダンボールを包装箱の底に固定した。
２）比較例
緩衝材を、包装箱の内寸と同じ、横４２５ｍｍ、縦３０７ｍｍに裁断して、その一枚を底に敷く。所謂、箱身の底に、ダンボール2枚敷きとなる。
３）緩衝材無し
【実験例】
【００２８】
包装箱品落下試験結果
１．サンプル
（１）Ｊ２００ＴＦ２−Ｓ（現行缶）
（２）Ｊ２００ＴＦ２−Ｇ（ゲージダウン缶）
２．試験方法
サンプル缶２４缶を包装箱に詰め、出願人所有の落下試験機を使用し、所定の高さから底面を下にして落下させ、へこみ発生数、大きさを評価。
へこみ評価基準
2011255922.tif 000003
３．試験結果
（２）落下試験結果
(1)落下高さ４０ｃｍ−底面１回落下                                          ｎ=1
2011255922.tif 000004
(2)落下高さ４０ｃｍ−底面２回落下                                          ｎ=1
2011255922.tif 000005
(3)落下高さ４０ｃｍ−底面３回落下                                          ｎ=1
2011255922.tif 000006
(4)落下高さ４０ｃｍ−底面４回落下
2011255922.tif 000007
以上の実験結果から実施例品の効果が確認できる。
【産業上の利用の可能性】
【００２９】
以上の説明から明らかな通り、この発明によれば、大がかりな設備の必要もなく、缶の凹みを有効に防止し得る包装箱用の緩衝材及び箱詰め包装方法を得ることができる。
【符号の説明】
【００３０】
１    箱包装体
２    缶
３    箱身
４    箱蓋
５    缶胴
６    缶蓋口縁部分
７    缶底部分
８    缶蓋
９    中心線
１１  缶底
１２、１２ｂ  緩衝材
１６  溝
１８  空隙
２１  中心
２２  ライナー
２３  中央寄りの部分
２４  上部分
２５  上端
２８  下端部
３１  上板
３２  切り欠き孔
３３  缶胴部分
３４  中央部
【図１】
2011255922.tif 000008
【図２】
2011255922.tif 000009
【図３】
2011255922.tif 000010
【図４】
2011255922.tif 000011
【図５】
2011255922.tif 000012
【図６】
2011255922.tif 000013
【図７】
2011255922.tif 000014
【図８】
2011255922.tif 000015
【図９】
2011255922.tif 000016
【図１０】
2011255922.tif 000017
【図１１】
2011255922.tif 000018